(57)【要約】      （修正有）【課題】複数の伝送経路を経由して入力された複数の制御信号に基づいて常時制御する場合に比較して、伝送経路の数を減少させつつ、ノイズの影響を抑制する。【解決手段】画像データを送信する画像読取基板８０と、画像データを受信する制御基板８２とを含み、画像読取基板８０は、制御基板８２へ通信回線８８を介して確立信号を送信するＶＢＯトランシーバ８５と、ＶＢＯトランシーバ８５を制御するＡＦＥ８４とを備える。制御基板８２は、ＶＢＯトランシーバ８５からデータを受信するとともに、確立信号を受信すると通信確立を確認する確認信号を出力するＶＢＯレシーバ８９と、ＶＢＯレシーバ８９を制御するとともに、確認信号の入力によりＡＦＥ８４にデータ通信の確立通知信号を通信回線８８と異なる専用の通信線９０を介して送信するＡＳＩＣ８７とを備える。ＶＢＯトランシーバ８５は、ＡＦＥ８４が通知信号を受信するとデータの送信を開始する。【選択図】図５
2017063375.tif 000002
【特許請求の範囲】
【請求項１】
データを送信する送信部と、前記データを通信回線を介して受信する受信部とを含み、
前記送信部は、
前記受信部へ前記通信回線を介してデータを送信するための通信を確立する確立信号を送信する送信手段と、
前記送信手段を制御する第１の制御手段と、
を備え、
前記受信部は、
前記送信手段により送信されるデータを受信するとともに、前記確立信号を受信すると前記送信手段とのデータ通信が確立されたことを確認する確認信号を出力する受信手段と、
前記受信手段を制御するとともに、前記受信手段から前記確認信号が入力されると前記第１の制御手段にデータ通信の確立を通知する通知信号を前記通信回線と異なる専用の通信線を介して送信する第２の制御手段と、
を備え、
前記送信手段は、前記第１の制御手段が前記通知信号を受信するとデータの送信を開始するデータ通信制御装置。
【請求項２】
前記送信部は、前記第１の制御手段が前記専用回線を介して受信した前記通知信号、又は前記受信手段から出力される前記確認信号の少なくとも一方を出力する出力手段を備え、
前記送信手段は、前記出力手段から出力される前記通知信号又は前記確認信号の少なくとも一方を受信するとデータの送信を開始する請求項１に記載のデータ通信制御装置。
【請求項３】
画像データを送信する画像読取基板と、前記画像データを通信回線を介して受信する制御基板とを含み、
前記画像読取基板は、
前記制御基板へ前記通信回線を介してデータを送信するための通信を確立する確立信号を送信する送信手段と、
前記送信手段を制御する第１の制御手段と、
を備え、
前記制御基板は、
前記送信手段により送信されるデータを受信するとともに、前記確立信号を受信すると前記送信手段とのデータ通信が確立されたことを確認する確認信号を出力する受信手段と、
前記受信手段を制御するとともに、前記受信手段から前記確認信号が入力されると前記第１の制御手段にデータ通信の確立を通知する通知信号を前記通信回線と異なる専用の通信線を介して送信する第２の制御手段と、
を備え、
前記送信手段は、前記第１の制御手段が前記通知信号を受信すると画像データの送信を開始する画像読取装置。
【請求項４】
前記画像読取基板は、前記第１の制御手段が前記専用回線を介して受信した前記通知信号、又は前記受信手段から出力される前記確認信号の少なくとも一方を出力する出力手段を備え、
前記送信手段は、前記出力手段から出力される前記通知信号又は前記確認信号の少なくとも一方を受信するとデータの送信を開始する請求項３に記載の画像読取装置。
【請求項５】
前記画像読取基板は、前記送信手段と前記第１の制御手段とを一体的に備えるとともに、
前記制御基板は、前記受信手段と前記第２の制御手段を一体的に備え、
前記送信手段と前記第１の制御手段との間の信号のやり取りは、前記画像読取基板上の回路を介して行い、
前記受信手段と前記第２の制御手段との間の信号のやり取りは、前記制御基板上の回路を介して行う請求項３に記載の画像読取装置。
【請求項６】
前記画像読取基板は、前記送信手段と前記第１の制御手段とを一体的に備えるとともに、
前記制御基板は、前記受信手段と前記第２の制御手段を一体的に備え、
前記送信手段と前記第１の制御手段との間の信号のやり取りは、前記第１の制御手段の内部を介して行い、
前記受信手段と前記第２の制御手段との間の信号のやり取りは、前記第２の制御手段の内部を介して行う請求項３に記載の画像読取装置。
【請求項７】
請求項３乃至６のいずれかに記載の画像読取装置と、
前記画像読取装置によって読み取られた画像を記録媒体に形成する画像形成手段と、  
を備える画像形成装置。
【発明の詳細な説明】
【技術分野】
【０００１】
この発明は、データ通信制御装置、画像読取装置及び画像形成装置に関する。
【背景技術】
【０００２】
従来、画像読取装置に関する技術としては、例えば、特許文献１に開示されたものが既に提案されている。
【０００３】
特許文献１は、静電気等のノイズを除去する部品を設けることなく、画像読取手段の光源がノイズにより誤点灯又は誤消灯することを抑制することができる画像読取制御装置を提供するため、発光部及び受光部を有する画像読取手段の前記発光部の点消灯を制御するための複数の制御信号であって、各々の伝送経路が互いに予め定められた距離以上離れている第１の条件、及び各々の伝送形式が互いに異なる第２の条件の少なくとも一方の条件を満たす複数の制御信号を各々の伝送経路に出力する出力手段と、出力手段から出力され各々の伝送経路を経由して入力された複数の制御信号に基づいて、発光部の点消灯を制御する制御手段と、を備えるように構成したものである。
【先行技術文献】
【特許文献】
【０００４】
【特許文献１】特開２０１３−２３２７４９号公報
【発明の概要】
【発明が解決しようとする課題】
【０００５】
この発明は、複数の伝送経路を経由して入力された複数の制御信号に基づいて常時制御する場合に比較して、同一の制御信号を伝送する伝送経路の数を減少させつつ、ノイズの影響を抑制することを目的とする。
【課題を解決するための手段】
【０００６】
請求項１に記載された発明は、データを送信する送信部と、前記データを通信回線を介して受信する受信部とを含み、
前記送信部は、
前記受信部へ前記通信回線を介してデータを送信するための通信を確立する確立信号を送信する送信手段と、
前記送信手段を制御する第１の制御手段と、
を備え、
前記受信部は、
前記送信手段により送信されるデータを受信するとともに、前記確立信号を受信すると前記送信手段とのデータ通信が確立されたことを確認する確認信号を出力する受信手段と、
前記受信手段を制御するとともに、前記受信手段から前記確認信号が入力されると前記第１の制御手段にデータ通信の確立を通知する通知信号を前記通信回線と異なる専用の通信線を介して送信する第２の制御手段と、
を備え、
前記送信手段は、前記第１の制御手段が前記通知信号を受信するとデータの送信を開始するデータ通信制御装置である。
【０００７】
請求項２に記載された発明は、前記送信部は、前記第１の制御手段が前記専用回線を介して受信した前記通知信号、又は前記受信手段から出力される前記確認信号の少なくとも一方を出力する出力手段を備え、
前記送信手段は、前記出力手段から出力される前記通知信号又は前記確認信号の少なくとも一方を受信するとデータの送信を開始する請求項１に記載のデータ通信制御装置である。
【０００８】
請求項３に記載された発明は、画像データを送信する画像読取基板と、前記画像データを通信回線を介して受信する制御基板とを含み、
前記画像読取基板は、
前記制御基板へ前記通信回線を介してデータを送信するための通信を確立する確立信号を送信する送信手段と、
前記送信手段を制御する第１の制御手段と、
を備え、
前記制御基板は、
前記送信手段により送信されるデータを受信するとともに、前記確立信号を受信すると前記送信手段とのデータ通信が確立されたことを確認する確認信号を出力する受信手段と、
前記受信手段を制御するとともに、前記受信手段から前記確認信号が入力されると前記第１の制御手段にデータ通信の確立を通知する通知信号を前記通信回線と異なる専用の通信線を介して送信する第２の制御手段と、
を備え、
前記送信手段は、前記第１の制御手段が前記通知信号を受信すると画像データの送信を開始する画像読取装置である。
【０００９】
請求項４に記載された発明は、前記画像読取基板は、前記第１の制御手段が前記専用回線を介して受信した前記通知信号、又は前記受信手段から出力される前記確認信号の少なくとも一方を出力する出力手段を備え、
前記送信手段は、前記出力手段から出力される前記通知信号又は前記確認信号の少なくとも一方を受信するとデータの送信を開始する請求項３に記載の画像読取装置である。
【００１０】
請求項５に記載された発明は、前記画像読取基板は、前記送信手段と前記第１の制御手段とを一体的に備えるとともに、前記制御基板は、前記受信手段と前記第２の制御手段を一体的に備え、
前記送信手段と前記第１の制御手段との間の信号のやり取りは、前記画像読取基板上の回路を介して行い、
前記受信手段と前記第２の制御手段との間の信号のやり取りは、前記制御基板上の回路を介して行う請求項３に記載の画像読取装置である。
【００１１】
請求項６に記載された発明は、前記画像読取基板は、前記送信手段と前記第１の制御手段とを一体的に備えるとともに、前記制御基板は、前記受信手段と前記第２の制御手段を一体的に備え、
前記送信手段と前記第１の制御手段との間の信号のやり取りは、前記第１の制御手段の内部を介して行い、
前記受信手段と前記第２の制御手段との間の信号のやり取りは、前記第２の制御手段の内部を介して行う請求項３に記載の画像読取装置である。
【００１２】
請求項７に記載された発明は、請求項３乃至６のいずれかに記載の画像読取装置と、
前記画像読取装置によって読み取られた画像を記録媒体に形成する画像形成手段と、  
を備える画像形成装置である。
【発明の効果】
【００１３】
請求項１に記載された発明によれば、複数の伝送経路を経由して入力された複数の制御信号に基づいて常時制御する場合に比較して、同一の制御信号を伝送する伝送経路の数を減少させつつ、ノイズの影響を抑制することができる。
【００１４】
請求項２に記載された発明によれば、送信部は、第１の制御手段が専用回線を介して受信した通知信号、又は受信手段から出力される前記確認信号の少なくとも一方を出力する出力手段を備えない場合に比較して、ノイズの影響を抑制しつつ早期にデータの送信を開始することができる。
【００１５】
請求項３に記載された発明によれば、複数の伝送経路を経由して入力された複数の制御信号に基づいて常時制御する場合に比較して、同一の制御信号を伝送する伝送経路の数を減少させつつ、ノイズの影響を抑制することができる。
【００１６】
請求項４に記載された発明によれば、画像読取基板は、第１の制御手段が専用回線を介して受信した通知信号、又は受信手段から出力される確認信号の少なくとも一方を出力する出力手段を備えない場合に比較して、ノイズの影響を抑制しつつ早期に画像データの送信を開始することができる。
【００１７】
請求項５に記載された発明によれば、前記画像読取基板が、前記送信手段と前記第１の制御手段とを一体的に備えず、前記制御基板が、前記受信手段と前記第２の制御手段を一体的に備えない場合に比較して、画像読取基板及び制御基板の構成を簡略化することができる。
【００１８】
請求項６に記載された発明によれば、前記画像読取基板が、前記送信手段と前記第１の制御手段とを一体的に備えず、前記制御基板が、前記受信手段と前記第２の制御手段を一体的に備えておらず、第１及び第２の制御手段の内部を介して信号のやり取りを行わない場合に比較して、画像読取基板及び制御基板の構成を簡略化することができるとともに、ノイズの影響が低減される。
【００１９】
請求項７に記載された発明によれば、複数の伝送経路を経由して入力された複数の制御信号に基づいて常時制御する場合に比較して、同一の制御信号を伝送する伝送経路の数を減少させつつ、ノイズの影響が画像に現れることを抑制することができる。
【図面の簡単な説明】
【００２０】
【図１】この発明の実施の形態１に係るデータ通信制御装置及び画像読取装置を適用した画像形成装置を示す全体構成図である。
【図２】この発明の実施の形態１に係る画像読取装置を示す構成図である。
【図３】画像読取ユニットを示す構成図である。
【図４】画像読取ユニットを示す断面構成図である。
【図５】この発明の実施の形態１に係るデータ通信制御装置を適用した画像読取装置を示すブロック図である。
【図６】この発明の実施の形態１に係るデータ通信制御装置を適用した画像読取装置の動作を示すタイミングチャートである。
【図７】従来のデータ通信制御装置を適用した画像読取装置の動作を示すブロック図である。
【図８】この発明の実施の形態２に係るデータ通信制御装置を適用した画像読取装置を示すブロック図である。
【図９】論理回路を示す回路図である。
【図１０】この発明の実施の形態２に係るデータ通信制御装置を適用した画像読取装置の動作を示すタイミングチャートである。
【図１１】この発明の実施の形態３に係るデータ通信制御装置を適用した画像読取装置を示すブロック図である。
【図１２】この発明の実施の形態４に係るデータ通信制御装置を適用した画像読取装置を示すブロック図である。
【発明を実施するための形態】
【００２１】
以下に、この発明の実施の形態について図面を参照して説明する。
【００２２】
[実施の形態１]
図１はこの発明の実施の形態１に係るデータ制御装置及び画像読取装置を適用した画像形成装置の全体の概要を示す構成図である。
【００２３】
＜画像形成装置の全体の構成＞
実施の形態１に係る画像形成装置１は、図１に示されるように、例えばカラー複写機として構成されたものである。画像形成装置１は、原稿の画像を読み取る画像読取装置３と、画像読取装置３で読み取られた画像データなどに基づいて記録媒体に画像を形成する画像形成手段の一例としての画像形成部２とを備えている。画像読取装置３は、画像形成部２を収容した装置本体１ａの上方に支持部４により支持された状態で配置されている。画像読取装置３と装置本体１ａとの間には、画像が形成された記録媒体を排出するための空間が形成されている。
【００２４】
画像形成部２は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋと、各作像装置１０Ｙ，１０Ｍ，１０Ｃ，１０Ｋで形成されるトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。
【００２５】
＜画像読取装置の構成＞
図２はこの実施の形態１に係る画像読取装置の構成を示す概略構成図である。
【００２６】
画像読取装置３は、大別して、上端面に原稿読取面が形成された筐体３１と、筐体３１に対して開閉自在に取り付けられた原稿押さえカバー３２と、原稿押さえカバー３２の一端部（図示例では左側端部）に設けられた自動原稿搬送装置（DADF: Duplex Automatic Document Feeder)３３とを備えている。
【００２７】
画像読取装置３は、ユーザの操作に応じて、自動原稿搬送装置３３によって原稿６を一枚ずつ自動的に搬送しながら原稿６の表面及び裏面の画像を読み取る第１の読取モードと、後述する原稿台６９の上に置かれる原稿６の画像を読み取る第２の読取モードとに切り替え可能に構成されている。
【００２８】
自動原稿搬送装置３３は、読取面（第１面）を上にした状態で複数枚の原稿６を積載して収容可能な原稿収容部６０と、原稿収容部６０から原稿６を送り出すナジャーローラ６１と、ナジャーローラ６１によって送り出された原稿６を１枚ずつ捌いて供給するフィードローラ６２と、フィードローラ６２に押圧されて原稿６を１枚ずつ捌くリタードパッド６２ａと、原稿６を第１の読取位置へ搬送する第１の搬送ローラ６３と、第１の搬送ローラ６３により搬送される原稿６を第１の読取位置へ搬送する第２の搬送ローラ６４と、第２の搬送ローラ６４の下流側に配置され、第１の読取位置を通過した原稿６を搬送する第３の搬送ローラ６５と、第３の搬送ローラ６５により搬送される原稿６を排出収容部６６へ排出するとともに回転方向を反転させることで原稿６の表裏を反転させて第１の搬送ローラ６３へと再度搬送する排出ローラ６７から構成される原稿搬送機構（搬送手段）を有している。これらのナジャーローラ６１、フィードローラ６２、第１乃至第３の搬送ローラ６３〜６５及び排出ローラ６７は、原稿６の読み取り時に図示しない駆動手段によって駆動される。第１の搬送ローラ６３は、原稿６の読取位置への搬送時期を調整するレジストローラである。
【００２９】
第１の搬送ローラ６３は、下方に配置された駆動ローラとしての搬送ローラ６３ｂが停止している間に、原稿６の搬送方向に沿った上流側に位置するフィードローラ６２により搬送される原稿６の先端が当該搬送ローラ６３ｂと従動ローラとしての搬送ローラ６３ａとの圧接部に突き当てられる。そして、第１の搬送ローラ６３は、原稿６の先端領域を撓ませることで、原稿６の先端を第１の搬送ローラ６３の軸方向と一致させた後に原稿６の搬送を開始することによりスキュー補正を行う。
【００３０】
また、自動原稿搬送装置３３は、原稿６を第１の読取位置に案内するとともに第１の読取位置から排出方向に案内する湾曲形状の搬送経路６８ａと、原稿６の表裏を反転させて再度第１の読取位置へと搬送する反転搬送経路６８ｂとを備えている。
【００３１】
画像読取装置３の筐体３１は、上端面の一部が開口した直方体状の箱体として形成されている。筐体３１は、原稿押さえカバー３２に対向する上壁３１２と、上壁３１２に対向する底壁３１３と、底壁３１３を挟んで副走査方向（図２の左右方向）に対向する側壁３１４及び側壁３１５と、筐体３１の前面に位置する前壁３１１（図１参照）と、前壁３１１に対して主走査方向（図２の紙面に直交する方向）に沿って対向する後壁３１６とを有している。
【００３２】
筐体３１の上壁３１２には、第２の読取モード時に読み取られる原稿６の第２の読取位置に対応する部位に平面矩形状の大きな開口部３１７が形成されている。開口部３１７には、原稿６を支持する透明な原稿台６９（プラテンガラス）が配置されている。また、原稿台６９の自動原稿搬送装置３３側には、第１の読取モード時に原稿６を読み取るための透明な読取窓７０が設けられている。読取窓７０と原稿台６９との間には、第１の読取モード時に読取位置を通過した原稿６を第３の搬送ローラ６５へと案内する上端面が傾斜した案内部材７１が設けられている。
【００３３】
画像読取装置３は、筐体３１の内部に、原稿６の画像を読み取る画像読取手段の一例としての画像読取ユニット７２を備えている。画像読取ユニット７２は、主走査方向（図面に直交する方向）に沿って配置されている。また、画像読取ユニット７２は、副走査方向に沿って図示しない駆動プーリや駆動ワイヤ等を介して駆動モータＭにより移動可能に構成されたキャリッジからなる移動体７３に取り付けられている。移動体７３は、図示しないレールによって案内され、副走査方向に沿って図２中に矢印で示す領域において移動可能に構成されている。移動体７３は、第１の読取モード時、図示された位置に停止される。また、移動体７３は、第２の読取モード時、副走査方向に沿って移動しながら原稿台６９上に載せられた原稿６の読取対象領域を照明しつつ、原稿６の画像を読み取る。
【００３４】
画像読取ユニット７２としては、例えば、密着型のイメージセンサであるＣＩＳ（Contact Image Sensor）が用いられる。画像読取ユニット７２は、図３に示されるように、例えば、Ａ４サイズ（２１０×２９７ｍｍ）の原稿６の短手方向又は長手方向に対応した長さを有する断面矩形の細長い長方体状に形成されている。画像読取ユニット７２は、その筐体７４の上端面に原稿６を照明しつつ画像を読み取る読取用の開口部７５を有している。
【００３５】
更に説明すると、画像読取ユニット７２は、図４に示されるように、原稿６を照明するＬＥＤ（Light Emitting Diode）からなる照明手段の一例としての光源７６と、光源７６から出射された光を原稿６へ向けて拡散することにより原稿６を一様に照明するディフューザ７７と、原稿６の画像を画像読取素子７８に結像する結像レンズとしてのセルフォック（登録商標）レンズ７９と、原稿６の画像を読み取るＣＣＤ（Charge-Coupled Device）等からなる画像読取素子７８とを備えている。画像読取素子７８は、送信部の一例としての画像読取基板８０に実装されている。尚、画像読取素子７８としては、ＣＣＤに限定されるものではなく、ＣＭＯＳ（Complementary Metal Oxide Semiconductor）等を用いても良い。
【００３６】
第１の読取モード時には、図２に示されるように、移動体７３を筐体３１の左側の端部に設定された第１の読取位置に停止させた状態で、自動原稿搬送装置３３によって原稿６を自動的に搬送する。画像読取ユニット７２は、図４に示されるように、読取窓７０の上部を通過する原稿６を光源７６により照明しつつ、原稿６からの反射光像をセルフォック（登録商標）レンズ７９を介して画像読取素子７８に結像し、画像読取素子７８により原稿６の画像を読み取る。画像読取素子７８は、読み取った原稿６の画像データ（信号）を出力する。
【００３７】
一方、第２の読取モード時には、図２に示されるように、移動体７３を駆動モータＭによって駆動し、移動体７３が副走査方向に沿って移動する間に、原稿６を画像読取ユニット７２の光源７６により照明する。画像読取ユニット７２は、図４に示されるように、原稿６からの反射光像をセルフォック（登録商標）レンズ７９を介して画像読取素子７８に結像し、画像読取素子７８により原稿６の画像を読み取って画像読取素子７８から画像データを出力する。
【００３８】
＜画像読取装置の要部の構成＞
この実施の形態１に係る画像読取装置３を備えた画像形成装置１は、図５に示されるように、画像読取素子７８が実装された送信部の一例としての画像読取基板８０と、画像読取基板８０に接続され、光源７６としてのＬＥＤを有するＬＥＤ基板８１と、受信部の一例としての制御基板８２と、画像読取基板８０及び制御基板８２に所要の直流電圧を供給する電源供給基板８３を備えている。制御基板８２は、例えば、画像形成装置１の装置本体１ａ又は画像読取装置３の筐体３１に設けられる。
【００３９】
画像読取基板８０は、画像読取素子７８から出力される赤（Ｒ）、緑（Ｇ）及び青（Ｂ）の３色のアナログ信号からなる画像データの増幅やノイズ除去、更にはアナログ信号からデジタル信号への変換等を行う第１の制御手段の一例としてのＡＦＥ（Analog Front End）８４と、ＡＦＥ８４から出力される画像データを制御回路８２に送信するための送信手段の一例としてのＶＢＯ（V-by-One）方式のトランシーバ８５を有している。ＶＢＯ（V-by-One）方式は、ザインエレクトロニクス社が開発した画像伝送用の高速シリアル・インタフェース技術である。ＶＢＯ（V-by-One）方式は、画像読取基板８０上の信号周波数が約１ＧＨｚと非常に高速であり、この高速信号を１対の差動信号線で数ｍと比較的長い距離にわたり伝送可能である。また、ＶＢＯ（V-by-One）方式は、画像データの通信に要するケーブルの数がパラレル伝送方式に比較して大幅に少なく、クロックとデータを多重して伝送する方式を採用している。なお、画像読取基板８０のＡＦＥ８４は、ＣＰＵ（Central Processing Unit）としての機能を備えている。また、ＡＦＥ８４は、通信機能をも備えている。画像読取基板８０のＡＦＥ８４は、ＰＤＮ（トランシーバ及び後述するレシーバの電源ＯＮ制御信号）、ＨＴＰＤＮ（レシーバの電源ＯＮ検知信号）、ＬＯＣＫＮ（レシーバとの通信確立検知信号）をＶＢＯトランシーバ８５に出力するように構成されている。
【００４０】
電源供給基板８３は、電源生成ＩＣ（Integrated Circuit）８３ａを備えている。電源供給基板８３は、予め設定されたタイミングで画像読取基板８０及び制御基板８１に３Ｖ、１２Ｖ、２４Ｖ等の所要の直流電圧又は電流を供給する。
【００４１】
また、制御基板８２は、画像読取装置３を制御するＣＰＵ８６と、ＣＰＵ８６により制御されて画像読取基板８０との間で通信等を実行（制御）する第２の制御手段の一例としてのＡＳＩＣ（Application Specific Integrated Circuit）８７と、画像読取基板８０のＶＢＯトランシーバ８５と通信回線の一例としての通信ケーブル８８を介してデータ通信可能に接続された受信手段の一例としてのＶＢＯ方式によるレシーバ８９とを有している。通信ケーブル８８としては、例えば、フレキシブルフラットケーブル（Flexible Flat Cable）が用いられる。また、ＡＳＩＣ８７は、専用回線９０を介して画像読取基板８０のＡＦＥ８４とシリアル通信可能に接続されている。なお、専用回線９０は、独立した信号線であっても良いし、通信ケーブル８８の一部により構成しても良い。
【００４２】
ＣＰＵ８６は、図示しないＲＯＭ（Read  Only  Memory）やＲＡＭ（Random  Access Memory）等と図示しないバスを介して接続されており、ＲＯＭに記憶されたプログラムに基づいて画像読取装置３の動作を制御する。
【００４３】
また、ＡＳＩＣ８７は、ＣＰＵ８６により制御され、ＶＢＯレシーバ８９にＰＤＮ信号（トランシーバ及びレシーバの電源ＯＮ制御信号）を出力するとともに、ＶＢＯレシーバ８９からは、ＨＴＰＤＮ信号（レシーバの電源ＯＮ検知信号）及びＬＯＣＫＮ信号（レシーバとの通信確立検知信号）が入力されるように構成されている。
【００４４】
＜画像読取装置の要部の作用＞
この実施の形態１に係る画像読取装置３では、次のようにして、画像読取ユニット７２の画像読取素子７８によって読み取られた原稿６の画像データが画像読取基板８０から制御基板８２に送信される。
【００４５】
画像読取装置３は、図５に示されるように、画像形成装置１において原稿６の画像読取が指示されると、電源供給基板８３により画像読取基板８０及び制御基板８２に電力が供給される。
【００４６】
画像読取装置３は、図２に示されるように、第１又は第２の読取モードに応じて、画像読取ユニット７２を所要の位置に停止させるか又は副走査方向に沿って移動させ、当該画像読取ユニット７２によって原稿６の画像を読み取る。
【００４７】
その際、画像読取ユニット７２に実装された画像読取基板８０は、画像読取動作に基づく画像データの送信に先立って通信ケーブル８８を介して制御基板８２との間でデータ通信の確立動作を実行する。制御基板８２のＡＳＩＣ８７は、図６に示されるように、ＶＢＯレシーバ８９に出力するＰＤＮ信号（レシーバの電源ＯＮ制御信号）をＨｉｇｈにするとともに、通信ケーブル８８を介してシリアル通信により画像読取基板８０のＡＦＥ８４にＰＤＮ信号（レシーバの電源ＯＮ制御信号）がＨｉｇｈであることを通知する（タイミングｔ１）。また、制御基板８２のＡＳＩＣ８７は、ＶＢＯレシーバ８９のＰＤＮ信号（電源ＯＮ制御信号）がＨｉｇｈとなると同時に、ＶＢＯレシーバ８９から出力されるＨＴＰＤＮ（電源ＯＮ検知信号）をＬｏｗに切り替える。なお、ＨＴＰＤＮ（電源ＯＮ検知信号）などは、それ以前に画像形成装置１の図示しない電源装置によってＨｉｇｈに保持されている。
【００４８】
画像読取基板８０のＡＦＥ８４は、制御基板８２からＰＤＮ信号（レシーバの電源ＯＮ制御信号）がＨｉｇｈであることの通知を受けると同時に、ＶＢＯトランシーバ８５のＰＤＮ信号（電源ＯＮ制御信号）をＨｉｇｈに駆動する（タイミングｔ２）。
【００４９】
次に、制御基板８２のＡＳＩＣ８７は、ＶＢＯレシーバ８９から出力されるＨＴＰＤＮ（レシーバの電源ＯＮ検知信号）がＬｏｗになったことを検知すると、画像読取基板８０のＡＦＥ８４に通信ケーブル８８を介してシリアル通信によりＨＴＰＤＮ信号（レシーバの電源ＯＮ検知信号）がＬｏｗであることを通知する（タイミングｔ３）。
【００５０】
すると、画像読取基板８０のＡＦＥ８４は、制御基板８２とのシリアル通信に基づいてＶＢＯトランシーバ８５のＨＴＰＤＮ信号（電源ＯＮ検知信号）をＬｏｗに切り替える（タイミングｔ４）。その後、画像読取基板８０のＶＢＯトランシーバ８５は、ＨＴＰＤＮ信号（トランシーバの電源ＯＮ検知信号）がＬｏｗに切り替えられたことを検知すると、ＶＢＯ方式の確立信号の一例としての予め定められたテストパターンを通信ケーブル８８を介して制御基板８２に送信する動作を開始する（タイミングｔ５）。
【００５１】
制御基板８２のＡＳＩＣ８７は、ＶＢＯレシーバ８９を介して受信したＶＢＯ方式の確立信号の一例としてのテストパターンを正しく検知すると、専用の信号線９０を介して画像読取基板８０に出力する確認信号の一例としてのＬＯＣＫＮ信号（通信確立検知信号）をＬｏｗに切り替える（タイミングｔ６）。
【００５２】
その後、制御基板８２のＡＳＩＣ８７は、ＬＯＣＫＮ信号（通信確立検知信号）がＬｏｗになったことを検知すると、専用回線９０を介してシリアル通信により画像読取基板８０のＡＦＥ８４に通知信号の一例としてのＬＯＣＫＮ信号（通信確立検知信号）がＬｏｗになったことを通知する（タイミングｔ７）。
【００５３】
そして、画像読取基板８０のＡＦＥ８４は、ＬＯＣＫＮ信号（通信確立検知信号）がＬｏｗになったことの通知を受けると、ＶＢＯトランシーバ８５のＬＯＣＫＮ信号（通信確立検知信号）をＬｏｗに切り替える（タイミングｔ８）。
【００５４】
その後、画像読取基板８０のＶＢＯトランシーバ８５は、通知信号の一例としてのＬＯＣＫＮ信号（通信確立検知信号）がＬｏｗであることをシリアル通信により検知すると、画像読取素子７８によって読み取られた原稿６の画像データの送信（出力）を開始する（タイミングｔ９）。
【００５５】
このように、実施の形態１に係る画像読取装置３では、画像読取基板８０のＡＦＥ８４と制御基板８２のＡＳＩＣ８７との間でシリアル通信を行い、通知信号の一例としてのＬＯＣＫＮ信号（通信確立検知信号）がＬｏｗであることをシリアル通信により検知すると、画像読取素子７８によって読み取られた原稿６の画像データの送信（出力）を開始する。そのため、画像読取装置３の画像読取基板８０と制御基板８２との間でデータ通信を確立する際には、専用回線９０を介して通知信号の一例としてのＬＯＣＫＮ信号（通信確立検知信号）がＬｏｗであることをシリアル通信により検知すればよい。したがって、画像読取装置３の画像読取基板８０と制御基板８２との間を専用回線９０を介して接続すればよく、複数の伝送経路を経由して入力された複数の制御信号に基づいて常時制御する場合に比較して、同一の制御信号を伝送する伝送経路の数が少なくて済む。また、画像読取装置３の画像読取基板８０と制御基板８２とは、専用回線９０を介してシリアル通信によりＬＯＣＫＮ信号（通信確立検知信号）がＬｏｗであることを検知すればよく、ノイズの影響が抑制される。
【００５６】
比較例
図７は従来の画像読取装置の制御回路を示すブロック図である。
【００５７】
従来の画像読取装置は、図７に示されるように、制御基板８２のＡＳＩＣ８７からＶＢＯレシーバ８９及び画像読取基板８０のＶＢＯトランシーバ８５にＤＣ回線２０１を介してＰＤＮ（トランシーバ及びレシーバの電源ＯＮ制御信号）を出力するとともに、制御基板８２のＶＢＯレシーバ８９から画像読取基板８０のＶＢＯトランシーバ８５にＤＣ回線２０２、２０３を介してＨＴＰＤＮ（レシーバの電源ＯＮ制御信号）及びＬＯＣＫＮ（レシーバとの通信確立検知信号）を出力することにより、画像読取基板８０のＶＢＯトランシーバ８５と制御基板８２のＶＢＯレシーバ８９との間で画像データの通信を確立するように構成している。
【００５８】
そのため、図７に示される従来技術の場合には、画像読取基板８０と制御基板８２とをＰＤＮ信号（レシーバの電源ＯＮ制御信号）、ＨＴＰＤＮ（レシーバの電源ＯＮ検知信号）及びＬＯＣＫＮ信号（通信確立検知信号）を伝送するＤＣ回線２０１〜２０３を介して接続しており、ＤＣ回線の数が増加することとなる。また、図７に示される従来技術の場合には、低温低湿環境下等において、ＰＤＮ信号（レシーバの電源ＯＮ制御信号）、ＨＴＰＤＮ（レシーバの電源ＯＮ検知信号）及びＬＯＣＫＮ信号（通信確立検知信号）を伝送するＤＣ回線２０１〜２０３に静電気等によるノイズが重畳すると、画像読取基板８０と制御基板８２との間で、ＰＤＮ信号（レシーバの電源ＯＮ制御信号）やＨＴＰＤＮ（レシーバの電源ＯＮ検知信号）、あるいはＬＯＣＫＮ信号（通信確立検知信号）を再度伝送して通信を確立する必要があり、画像読取動作中にノイズが作用すると、通信を再度確立するのに要する時間だけ、画像読取素子７８によって読み取られた画像に複数ラインにわたり画像欠陥が発生する虞れがある。
【００５９】
これに対して、上述した実施の形態の場合、画像読取基板８０のＶＢＯトランシーバ８５と制御基板８２のＶＢＯレシーバ８９との間における通信確立は、上述したように、通信ケーブル８８を介してシリアル通信により行われるため、静電気ノイズが発生した場合であっても、再度シリアル通信により通信確立動作が実行されるため、静電気ノイズの影響を受けることを回避できる。
【００６０】
また、画像読取基板８０のＶＢＯトランシーバ８５と制御基板８２のＶＢＯレシーバ８９との間で通信確立が確立した後は、画像読取基板８４側のＡＦＥ８４で通信確立の情報を保持することができるため、静電気ノイズの影響を受けることが回避される。
【００６１】
[実施の形態２]
図８はこの発明の実施の形態２に係るデータ制御装置を適用した画像読取装置を示すブロック図である。
【００６２】
この実施の形態では、図８に示されるように、画像読取基板８０と制御基板８２とを接続するＤＣ回線２０１〜２０３と、画像読取基板８０に設けられ、ＡＦＥ８４が専用回線９０を介して受信した通知信号、又は制御基板８２から出力されるＰＤＮ信号（レシーバの電源ＯＮ制御信号）、ＨＴＰＤＮ（レシーバの電源ＯＮ検知信号）及びＬＯＣＫＮ信号（通信確立検知信号）の少なくとも一方を出力する出力手段の一例としての論理回路２１０を備えている。この論理回路２１０は、図９に示されるように、ＡＦＥ８４から出力されるＬＯＣＫＮ信号（通信確立検知信号）又は制御基板８２から出力されるＰＤＮ信号（レシーバの電源ＯＮ制御信号）、ＨＴＰＤＮ（レシーバの電源ＯＮ検知信号）及びＬＯＣＫＮ信号（通信確立検知信号）が入力される３つのＯＲ回路２１１〜２１３から構成されている。
【００６３】
図５に示す実施の形態１の場合には、図６に示されるように、画像読取基板８０と制御基板８２との間でデータ通信を確立する際にシリアル通信による通信を実行する必要があり、画像読取基板８０から画像データの送信開始が遅延する虞れがある。
【００６４】
そこで、この実施の形態２の場合には、画像読取基板８０と制御基板８２とをＤＣ回線２０１〜２０３を介して接続している。
【００６５】
そのため、この実施の形態２では、図１０に示されるように、画像読取基板８０と制御基板８２との間でデータ通信を確立する際に、ＤＣ回線２０１〜２０３を介してＰＤＮ信号（レシーバの電源ＯＮ制御信号）、ＨＴＰＤＮ（レシーバの電源ＯＮ検知信号）及びＬＯＣＫＮ信号（通信確立検知信号）を順次受信すればよく（タイミングｔ１１〜ｔ１５）、画像読取基板８０と制御基板８２との間で早期にデータ通信を確立することが可能となる。
【００６６】
また、この実施の形態２では、図１０に示されるように、画像読取基板８０と制御基板８２との間でＤＣ回線２０１〜２０３を介して論理回路２１０によってＰＤＮ信号（レシーバの電源ＯＮ制御信号）、ＨＴＰＤＮ（レシーバの電源ＯＮ検知信号）及びＬＯＣＫＮ信号（通信確立検知信号）を検知してデータ通信を確立した後に、専用回線９０を介したシリアル通信によってＬＯＣＫＮ信号（通信確立検知信号）を検知すればよく、データ通信が一旦確立した後は、専用回線９０を介したシリアル通信によってＬＯＣＫＮ信号（通信確立検知信号）に基づいてデータ通信が確立されるため、ノイズの影響を低減することができる。
【００６７】
[実施の形態３]
図１１はこの発明の実施の形態３に係るデータ制御装置を適用した画像読取装置を示すブロック図である。
【００６８】
この実施の形態３では、図１１に示されるように、ＶＢＯトランシーバ８５がＡＦＥ８４の内部に設けられており、ＡＦＥ８４とＶＢＯトランシーバ８５が一体化されるように構成されている。ＡＦＥ８４からは、ＰＤＮ、ＨＴＰＤＮ及びＬＯＣＫＮの各信号がＶＢＯトランシーバ８５に入力される。
【００６９】
また、この実施の形態３では、ＶＢＯレシーバ８９がＡＳＩＣ８７の内部に設けられており、ＡＳＩＣ８７とＶＢＯレシーバ８９が一体化されるように構成されている。ＡＳＩＣ８７からは、ＰＤＮ信号がＶＢＯレシーバ８９に入力される。また、ＶＢＯレシーバ８９からは、ＨＴＰＤＮ及びＬＯＣＫＮの各信号がＡＳＩＣ８７に入力される。
【００７０】
この実施の形態３の場合には、ＡＦＥ８４とＶＢＯトランシーバ８５を一体化するとともに、ＡＳＩＣ８７とＶＢＯレシーバ８９を一体化することにより、画像読取基板８０及び制御基板８２の構成が簡略化される。
【００７１】
[実施の形態４]
図１２はこの発明の実施の形態４に係るデータ制御装置を適用した画像読取装置を示すブロック図である。
【００７２】
この実施の形態４では、図１２に示されるように、ＶＢＯトランシーバ８５がＡＦＥ８４の内部に設けられており、ＡＦＥ８４とＶＢＯトランシーバ８５が一体化されるように構成されている。ＡＦＥ８４では、外部回路を使用せずにシリアル通信からＰＤＮ、ＨＴＰＤＮ及びＬＯＣＫＮの各信号が内部回路９５（レジスタ制御）を介してＶＢＯトランシーバ８５に通知される。
【００７３】
また、この実施の形態４では、ＶＢＯレシーバ８９がＡＳＩＣ８７の内部に設けられており、ＡＳＩＣ８７とＶＢＯレシーバ８９が一体化されるように構成されている。ＡＳＩＣ８７では、外部回路を使用せずにＰＤＮ、ＨＴＰＤＮ及びＬＯＣＫＮの各信号が内部回路９６（レジスタ制御）を通してＶＢＯレシーバ８９に入力されている。
【００７４】
この実施の形態４の場合には、ＡＦＥ８４とＶＢＯトランシーバ８５を一体化するとともに、ＡＳＩＣ８７とＶＢＯレシーバ８９を一体化することにより、画像読取基板８０及び制御基板８２の構成が簡略化される。また、ＰＤＮ、ＨＴＰＤＮ及びＬＯＣＫＮの各信号は、ＡＦＥ８４及びＡＳＩＣ８７の内部回路９５，９６（レジスタ制御）を通して通知されるため、ＰＤＮ、ＨＴＰＤＮ及びＬＯＣＫＮの各信号を伝送する線路にノイズ等が重畳することが抑制される。
【符号の説明】
【００７５】
１…画像形成装置
１ａ…画像形成装置本体
３…画像読取装置
３１…画像読取装置筐体
８０…画像読取基板
８２…制御基板
８４…ＡＦＥ
８５…ＶＢＯトランシーバ
８７…ＡＳＩＣ
８９…ＶＢＯレシーバ
９０…専用回線
【図１】
2017063375.tif 000003
【図２】
2017063375.tif 000004
【図３】
2017063375.tif 000005
【図４】
2017063375.tif 000006
【図５】
2017063375.tif 000007
【図６】
2017063375.tif 000008
【図７】
2017063375.tif 000009
【図８】
2017063375.tif 000010
【図９】
2017063375.tif 000011
【図１０】
2017063375.tif 000012
【図１１】
2017063375.tif 000013
【図１２】
2017063375.tif 000014